(57)【要約】      （修正有）【課題】装置全体のコンパクト化および簡素化を図ることができ、しかも、復旧が容易な通風式格納設備を提供する。【解決手段】送風体５が、棚横幅方向の両端側部分の夫々に備えさせた被案内回転体を棚上下幅方向に沿う左右の案内レール６１にて案内させることにより、棚横幅方向並びに棚前後幅方向の移動が規制された状態で棚上下幅方向に案内移動されるように構成され、送風体５の棚横幅方向の両端側部分の夫々を各別に吊下げ支持する一対の索状体２１が、索状体駆動手段にて長手方向に移動操作されるように構成され、一対の索状体２１の一つが切断したと仮定したときに、吊下げ支持作用状態にある一つの索状体２１にて棚横幅方向の一端側が吊下げられた送風体５の棚横幅方向他端側の落下移動を規制するように案内レール６１に喰い込み作用する喰い込み作用体ＫＳが、送風体５に設けられている。【選択図】図６
2006225144.tif 000002
【特許請求の範囲】
【請求項１】
物品収納空間を棚上下幅方向及び棚横幅方向に並ぶ状態で備えた棚の背面部又は前面部に、棚横幅方向に沿う長尺状に形成されて、棚横幅方向に並ぶ複数の前記物品収納空間に送風作用する筒状の送風体が、棚上下幅方向に並ぶ複数段の前記物品収納空間に選択的に送風作用するように往復駆動昇降されるように設けられた通風式格納設備であって、
前記送風体が、棚横幅方向の両端側部分の夫々に備えさせた被案内回転体を棚上下幅方向に沿う左右の案内レールにて案内させることにより、棚横幅方向並びに棚前後幅方向の移動が規制された状態で棚上下幅方向に案内移動されるように構成され、
前記送風体の棚横幅方向の両端側部分の夫々を各別に吊下げ支持する一対の索状体が、索状体駆動手段にて長手方向に移動操作されるように構成され、
前記一対の索状体の一つが切断したと仮定したときに、吊下げ支持作用状態にある一つの索状体にて棚横幅方向の一端側が吊下げられた前記送風体の棚横幅方向他端側の落下移動を規制するように前記案内レールに喰い込み作用する喰い込み作用体が、前記送風体に設けられている通風式格納設備。
【請求項２】
前記喰い込み作用体が、棚横幅方向内方側への移動により前記案内レールに対して喰い込み作用するように設けられ、
前記送風体の棚横幅方向外方側への移動を規制するように前記案内レールに接当する内方側作用体が設けられている請求項１記載の通風式格納設備。
【請求項３】
前記喰い込み作用体及び前記内方側作用体が、棚上下幅方向に間隔を隔てて上下一対設けられている請求項２記載の通風式格納設備。
【請求項４】
前記索状体の切断を検出する切断検出手段が設けられ、
前記索状体駆動手段の作動を制御する制御手段が、前記切断検出手段にて前記索状体の切断が検出されるに伴って、前記索状体駆動手段を停止させるように構成されている請求項１〜３のいずれか１項に記載の通風式格納設備。
【請求項５】
前記索状体駆動手段が、索状体操作用の駆動回転体を前記送風体の昇降範囲よりも上方に位置させる状態で備えて構成され、
前記索状体が、その両端側が垂下する状態で前記駆動回転体に巻回されて、その一端側に前記送風体を接続し、その他端側に前記案内レールにて棚上下幅方向に案内されるバランスウェイトを接続して構成されている請求項１〜４のいずれか１項に記載の通風式格納設備。
【請求項６】
前記切断検出手段が、前記バランスウェイトの昇降範囲よりも下方位置に、前記索状体の切断に伴って落下移動するバランスウェイトを検出するウェイト検出手段を備えて構成されている請求項５に記載の通風式格納設備。
【発明の詳細な説明】
【技術分野】
【０００１】
本発明は、物品収納空間を棚上下幅方向及び棚横幅方向に並ぶ状態で備えた棚の背面部又は前面部に、棚横幅方向に沿う長尺状に形成されて、棚横幅横方向に並ぶ複数の前記物品収納空間に送風作用する筒状の送風体が、棚上下幅方向に並ぶ複数段の前記物品収納空間に選択的に送風作用するように往復駆動昇降されるように設けられた通風式格納設備に関する。
【背景技術】
【０００２】
かかる通風式格納設備は、棚の背面部又は前面部に、棚横幅方向に沿う長尺状に形成された筒状の送風体が、棚横幅方向に並ぶ複数の物品収納空間に送風しながら棚上下方向に往復駆動昇降されることで、棚上下幅方向及び棚横幅方向に並ぶ物品収納空間に対して送風することにより、複数の物品収納空間に収納された物品を適正状態に維持することができるようにしたものである。
【０００３】
かかる通風式格納設備において、従来では、送風体における棚横幅方向に沿って略等間隔となる複数部分の夫々を各別に吊下げ支持する複数の索状体が、索状体駆動手段にて長手方向に移動操作されるように設けられて、索状体駆動手段にて複数の索状体を長手方向に往復移動操作することにより、送風体が往復駆動昇降されるように構成されていた。（例えば、特許文献１参照）。
【０００４】
【特許文献１】特開２００１−１７８２６６号公報
【発明の開示】
【発明が解決しようとする課題】
【０００５】
上記従来の通風式格納設備においては、複数の索状体にて吊下げ支持された送風体が、棚横幅方向あるいは棚前後幅方向に遊動可能な状態であるため、往復駆動昇降されるときに遊動して棚に接触する不都合を招く虞があった。
【０００６】
また、複数の索状体にて送風体を吊下げ支持する構成であるため、複数の索状体の夫々に送風体の荷重が均等に掛かるように複数の索状体の夫々の長さを調整する等、メンテナンス作業が手間のかかる作業となるものであった。
【０００７】
本発明は、上記実情に鑑みて為されたものであって、その目的は、送風体を往復駆動昇降するための構成を索状体を用いて吊下げ支持する形態としながらも、送風体が棚に接触することを無くし、メンテナンス作業の簡略化を図ることができ、加えて、万が一索状体が切断したときにも復旧作業を容易に行なうことができるようにして、一層便利に使用できる通風式格納設備を提供する点にある。
【課題を解決するための手段】
【０００８】
本発明の通風式格納設備は、物品収納空間を棚上下幅方向及び棚横幅方向に並ぶ状態で備えた棚の背面部又は前面部に、棚横幅方向に沿う長尺状に形成されて、棚横幅方向に並ぶ複数の前記物品収納空間に送風作用する筒状の送風体が、棚上下幅方向に並ぶ複数段の前記物品収納空間に選択的に送風作用するように往復駆動昇降されるように設けられたものであって、
その第１特徴構成は、前記送風体が、棚横幅方向の両端側部分の夫々に備えさせた被案内回転体を棚上下幅方向に沿う左右の案内レールにて案内させることにより、棚横幅方向並びに棚前後幅方向の移動が規制された状態で棚上下幅方向に案内移動されるように構成され、
前記送風体の棚横幅方向の両端側部分の夫々を各別に吊下げ支持する一対の索状体が、索状体駆動手段にて長手方向に移動操作されるように構成され、
前記一対の索状体の一つが切断したと仮定したときに、吊下げ支持作用状態にある一つの索状体にて棚横幅方向の一端側が吊下げられた前記送風体の棚横幅方向他端側の落下移動を規制するように前記案内レールに喰い込み作用する喰い込み作用体が、前記送風体に設けられている点にある。
【０００９】
第１特徴構成によれば、送風体の両端側部分に設けられた被案内回転体と棚上下幅方向に沿う左右の案内レールとの案内作用により、棚横幅方向並びに棚前後幅方向の移動が規制された状態で送風体が棚上下幅方向に案内移動されるから、送風体が往復駆動昇降されるときに、棚横幅方向あるいは棚前後幅方向に遊動して棚に接触することを無くすことができるものとなる。
また、一対の索状体にて送風体の棚横幅方向の両端側部分の夫々を各別に吊下げ支持するものであるから、それら一対の索状体に送風体の荷重が均等にかかるように調節する等のメンテナンス作業も簡単な作業となる。
【００１０】
さらに、一対の索状体の一つが切断したときに、送風体に設けられた喰い込み作用体が、棚横幅方向の一端側が吊下げられた送風体の他端側の落下移動を規制するように案内レールに喰い込むことにより、送風体の他端側の落下移動を規制するものであるから、左右の案内レールや被案内回転体を精度の良い状態で強固に製作し、加えて、送風体を変形し難いように構成して、送風体の他端側の落下移動に伴って送風体の一端側に働くモーメント力を送風体やそれを案内移動する構成によって受け止めるようにするに較べて、送風体やそれを案内移動する構成を簡素な構成にしながら、送風体の落下移動を規制することができて、装置の構成の簡素化を図れるものとなる。
【００１１】
また、一対の索状体の一つが切断したときに、送風体の落下移動を規制しないと、一端側が吊下げられた送風体の他端側が大きく下降して送風体が再使用できない状態に損傷したり、案内レールそのものが大きく変形損傷する事態が生じる虞があるが、送風体に設けられた喰い込み作用体が案内レールに喰い込むことで、送風体の他端側の落下移動を規制するから、送風体の他端側の落下移動が規制された状態において、切断された索状体を新品の索状体と交換する等により補修したのちに、喰い込み作用体を送風体から取り外すなどして送風体の他端側の落下移動の規制を解除することにより、再使用状態に復旧させることも可能となり、通風式格納設備の復旧作業も容易におこなえるものとなる。
【００１２】
したがって、送風体の棚に対する接触を無くし、メンテナンス作業の簡略化を図ることができるものとなり、加えて、構成の簡素化を図る形態で、索状体が万が一切断したときに対する装置の損傷を回避して、復旧作業の容易化を図ることができるものとなるのであり、一層便利に使用できる通風式格納設備を提供するに至った。
【００１３】
本発明の第２特徴構成は、上記第１特徴構成に加えて、
前記喰い込み作用体が、棚横幅方向内方側への移動により前記案内レールに対して喰い込み作用するように設けられ、前記送風体の棚横幅方向外方側への移動を規制するように前記案内レールに接当する内方側作用体が設けられている点にある。
【００１４】
第２特徴構成によれば、喰い込み作用体が、棚横幅方向内方側への移動により案内レールに対して喰い込み作用し、且つ、内方側作用体が、案内レールに接当することにより送風体の棚横幅方向外方側への移動を規制することになるので、つまり、喰い込み作用体と内方側作用体との間に案内レールを挟むようにする形態で、喰い込み作用体を案内レールに対して喰い込み作用させるから、喰い込み作用体の案内レールに対する食い込みを的確に行いやすいものとなる。
つまり、一対の索状体の一つが切断したときには、一端側を継続して吊下げられる送風体は、その一端側を支点にして他端側を下方に移動させることにより、全体として他端側ほど下方に位置する傾斜姿勢になるものであり、そのように傾斜姿勢になるに伴って、喰い込み作用体と前記内方側作用体との間に案内レールを挟むようになり、そして、そのように案内レールを挟むようにしながら喰い込み作用体が案内レールに喰い込み作用するものとなるから、つまり、喰い込み作用体と前記内方側作用体との間に案内レールを挟むようにする形態で喰い込み作用体が案内レールに喰い込み作用するものとなるから、喰い込み作用体の案内レールに対する喰い込み作用を的確に行い易いものとなるのである。
【００１５】
したがって、喰い込み作用体の案内レールに対する食い込みを的確に行なって、送風体の落下移動を的確に規制することができる通風式格納設備を得るに至った。
【００１６】
本発明の第３特徴構成は、上記第２特徴構成に加えて、
前記喰い込み作用体及び前記内方側作用体が、棚上下幅方向に間隔を隔てて上下一対設けられている点にある。
【００１７】
第３特徴構成によれば、喰い込み作用体と前記内方側作用体との組が棚上下幅方向に間隔を隔てて位置するから、喰い込み作用体と前記内方側作用体との間で案内レールを挟むようにする形態で喰い込み作用体が案内レールに喰い込み作用することを、棚上下幅方向に間隔を隔てて位置する喰い込み作用体と前記内方側作用体との組のうちの、喰い込み作用を行い易い側の組にて迅速且つ的確に行わせることができるものとなる。
つまり、一対の索状体の一つが切断したときには、上述の如く、一端側を継続して吊下げられる送風体は、その一端側を支点にして他端側を下方に移動させることにより、全体として他端側ほど下方に位置する傾斜姿勢になるものであるが、そのように傾斜姿勢になるに伴って、上下に位置する喰い込み作用体と前記内方側作用体との組のうち、先に、案内レールに喰い込み作用し易い状態になった組が案内レールに喰い込み作用するものとなり、喰い込み作用体と前記内方側作用体との組を棚上下幅方向に一つ設けるよりも、喰い込み作用体の案内レールに対する喰い込み作用を迅速且つ的確に行い易いものとなるのである。
【００１８】
したがって、喰い込み作用体の案内レールに対する食い込みを迅速且つ的確に行なって、送風体の落下移動を確実に規制することができる通風式格納設備を得るに至った。
【００１９】
本発明の第４特徴構成は、上記第１〜第３特徴構成に加えて、
前記索状体の切断を検出する切断検出手段が設けられ、前記索状体駆動手段の作動を制御する制御手段が、前記切断検出手段にて前記索状体の切断が検出されるに伴って、前記索状体駆動手段を停止させるように構成されている点にある。
【００２０】
第４特徴構成によれば、切断検出手段にて索状体の切断が検出されると索状体駆動手段が停止されることになり、索状体が切断されて索状体に送風体を吊下げ支持する力がかかってない状態においても索状体駆動手段が作動するといった虞を回避することができる。
【００２１】
本発明の第５特徴構成は、上記第１〜第４特徴構成に加えて、
前記索状体駆動手段が、索状体操作用の駆動回転体を前記送風体の昇降範囲よりも上方に位置させる状態で備えて構成され、前記索状体が、その両端側が垂下する状態で前記駆動回転体に巻回されて、その一端側に前記送風体を接続し、その他端側に前記案内レールにて棚上下幅方向に案内されるバランスウェイトを接続して構成されている点にある。
【００２２】
第５特徴構成によれば、索状体操作用の駆動回転体を送風体の昇降範囲よりも上方に位置させ、駆動回転体に索状体を巻回させてその両端側を垂下させ、索状体の一端側に送風体を接続し、他端側にバランスウェイトを接続するから、バランスウェイトの重量を送風体の重量とほぼ同じに構成することにより、極力軽い操作力で駆動回転体を回転駆動させることができ、駆動回転体を回転駆動させる構成の簡素化を図る形態で、送風体を昇降させることができる。
【００２３】
本発明の第６特徴構成は、上記第４〜第５特徴構成に加えて、前記切断検出手段が、前記バランスウェイトの昇降範囲よりも下方位置に、前記索状体の切断に伴って落下移動するバランスウェイトを検出するウェイト検出手段を備えて構成されている点にある。
【００２４】
第６特徴構成によれば、バランスウェイトを検出するウェイト検出手段をバランスウェイトの昇降範囲よりも下方位置に設けるといった簡素な構成にて、索状体の切断を検出することができる。
【発明を実施するための最良の形態】
【００２５】
以下、本発明に係る物品収納設備を図面に基づいて説明する。
図１〜図４に示すように、通風式格納設備は、棚１、スタッカクレーン２、トラバーサ３、送風体５等を備えて構成されている。尚、図示はしないが通風式格納設備の天井から冷気が吹き出されることで、格納設備の内部空間が保冷されるようになっている。
【００２６】
前記棚１の一対が走行通路Ｔを形成する状態で並設され、一対の棚１の上部側箇所同士を連結するように複数の固定部材６が棚前後幅方向に亘って架設連結されている。一対の棚１の組の複数が、棚横幅方向に沿う長尺状に形成された筒状の送風体５を挟み込む状態で棚前後幅方向に並設されている。また、並設方向両端側に位置する棚１にも送風体５が設けられている。これにより、棚の背面部又は前面部に送風体５が設けられることになる。送風体５は棚横幅方向に２つ並べて設けられ、棚横幅方向に並べた送風体５の合計の長さが棚１の横幅の長さと略同一に形成されている。
【００２７】
前記棚１について説明すると、棚横幅方向に並べて立設される支柱７が、梁８にて連結固定されている。また、物品載置部材９が、棚前後幅方向に立設される支柱７に棚横幅方向に突出する姿勢で棚上下幅方向に複数個並べて固定され、棚横幅方向に隣り合う物品載置部材９の組に物品Ａを載置することで、棚上下幅方向及び棚横幅方向に並ぶ状態で備えた物品収納空間ＢＳの夫々に物品Ａを収納するように構成されている。
【００２８】
前記スタッカクレーン２について説明すると、前記一対の棚１の間に、走行通路Ｔの内部にわたって移動走行自在に設置されている。スタッカクレーン２は、走行通路Ｔを走行する際においては、床１０に敷設された床レール１１に走行自在に載置支持され、且つ、上端部において固定部材６の下側に設けられた天井レール１２により案内支持される構成となっている。スタッカクレーン２には、床レール１１上を走行自在な走行台車１３、走行台車１３に立設された一対のマスト１４、一対のマスト１４を昇降自在に設けられた昇降台１５、昇降台１５上に設けられたフォーク１６を備えて構成され、昇降台１５を昇降操作させ、フォーク１６を出退操作させることで、棚上下幅方向及び棚横幅方向に並ぶ状態で備えた物品収納空間ＢＳの夫々に物品Ａの授受を行なうように構成されている。
【００２９】
前記送風体５について説明すると、前記送風体５は、ファン部３１、風導管３２、支持部３３、筒部３４、枠部３７を備えて構成されている。風導管３２は、その一端部がファン部３１に接続されている。風導管３２は、上下幅が異なる直方体形状の風導部３９およびそれら風導部３９を接続させる接続部３８とからなり、風導管３２の上下幅をその一端側から離れるほど小さくする先細り形状に構成されている。各風導部３９の棚存在側の側面に棚横幅方向に沿って細長の吹出口３６が複数設けられている。風導管３２の下方には、筒部３４が並んで設けられている。筒部３４の上面側には、上下高さが異なる支持部３３が棚横幅方向に間隔を隔てて設けられ、風導管３２をそれら支持部３３にて支持するように構成されている。方形枠状の枠部３７が風導管３２を取り囲む状態で棚横幅方向の両端側部分に一対設けられ、それら枠部３７に対応させて設けられた一対のチェン２１が枠部３７の上部に夫々接続されることで、一対のチェン２１が風導管３２の棚横幅方向の両端側部分に位置する枠部３７の夫々を各別に吊下げ支持するように構成されている。そして、特に図３に示すように、ファン部３１に設けられた送風ファン３５の回転により、格納設備の内部空間の空気を風導管３２に通風し、風導管３２に設けられた吹出口３６より物品収納空間ＢＳの夫々に送風を行うように構成されている。
【００３０】
前記送風体５を昇降駆動する構成について説明すると、棚１の上部側箇所に棚前後幅方向に延伸する状態で載置部材１７が架設され、棚横幅方向に沿って設けられた円筒体１８と、円筒体１８を回転駆動させるモータ１９と、円筒体１８の両端部に固定されたスプロケット２０（駆動回転体の一例）とが送風体５の昇降範囲よりも上方に位置させる状態で載置部材１７の上に載置されている。尚、棚１には、制止部材２３が枠部３７の上方に設けられている。制止部材２３は、受け止め部２５を備えて構成され、受け止め部２５が枠部３７を受け止めるように構成されている。
【００３１】
一対のチェン２１（索状体の一例）が、その両端側が垂下する状態でスプロケット２０に巻回されて、その一端側に送風体５を接続し、他端側に案内レール６１にて棚上下幅方向に案内されるバランスウェイト２２を接続して構成されている。これにより、モータ１９を回転駆動させると、円筒体１８および円筒体１８に固定されたスプロケット２０も回転し、スプロケット２０に巻回されたチェン２１の一端側に接続された送風体５を昇降駆動させることになる、したがって、モータ１９、円筒体１８およびスプロケット２０により索状体駆動手段ＪＫを構成し、一対のチェン２１が、索状体駆動手段ＪＫにて長手方向、すなわち、棚上下幅方向に移動操作されるように構成されている。そして、長尺状の送風体５を一対のチェン２１の棚上下幅方向の移動操作にて往復駆動昇降させながら棚横幅方向に並ぶ複数の物品収納空間ＢＳに送風作用することで、棚上下幅方向に並ぶ複数段の物品収納空間ＢＳに選択的に送風作用するように構成されている。
【００３２】
次に、送風体５を案内移動する構成について説明する。
図５〜１１に示すように、棚１の送風体存在側に存在する梁８には、係合部６２が棚上下幅方向に並ぶ状態で設けられており、案内レール６１は、それら係合部６２を介して棚上下幅方向に沿う状態で左右一対設けられている。そして、送風体５が、棚横幅方向の両端側部分の夫々に備えさせた大径の案内ローラ６５（被案内回転体６９の一例）および小径の案内ローラ６６（被案内回転体６９の一例）を棚上下幅方向に沿う左右の案内レール６１にて案内させるように構成されている。
【００３３】
前記枠部３７について説明すると、２つの略コ字状の枠下面部５０、２つの枠側面部５３、枠上面部５４を備えて構成されている。枠下面部５０は、それら略コ字状の断面を筒部３４の両側面に接合させた状態で左右に設けられている。枠側面部５３は、断面がコ字状の長尺材の一端に板状体５６を備えて構成され、板状体５６の一面を、枠下面部５０の一面に重ね合わせた状態でボルトナットにて締結されることにより、２つの枠側面部５３が、筒部３４の左右に設けられた枠下面部５０の夫々に立設されるように構成されている。そして、２つの枠側面部５３の間には、断面が略コ字状で、且つ、その長手方向の中間部に孔が設けられた枠上面部５４がその上端部に架け渡されている。また、これら枠側面部５３の間には、断面がコ字状の索状体連結部５７が枠上面部５４の下方に架け渡されている。そして、チェン２１が、枠上面部５４に設けられた孔を貫通した状態で索状体連結部５７に接続されている。
【００３４】
前記案内レール６１について説明すると、一辺が長く形成された矩形の板を、長方形状の平板部６３ａと、その平板部６３ａの両端からその平板部６３ａに垂直な方向に延びる屈曲部６３ｂと、屈曲部６３ｂ夫々の端部から平板部６３ａと平行に内方側に突出した突出部６３ｃとを備えるように長尺方向に沿って折り曲げ成形して、横断面形状が略Ｃ字状のＣ形材６３を形成し、それとは別の一辺が長く形成された矩形の板を、長方形状の平板部６４ａと、その平板部６４ａの両端からその平板部６４ａに垂直な方向に延びる屈曲部６４ｂとを備えるように長尺方向に沿って折り曲げ成形して、横断面形状がコ字状のコ形材６４をＣ形材６３と長尺方向で同じ長さに形成し、Ｃ形材の屈曲部６３ｂとコ字状材の平板部６４ａとを接合してなる。
【００３５】
案内レール６１より棚横幅方向内方側に位置する大径の案内ローラ連結部６７および案内レール６１より棚横幅方向外方側に位置する小径の案内ローラ連結部６８が、枠側面部５３を挟み込む形態でボルトナットにて締結されている。大径の案内ローラ連結部６７には、大径の案内ローラ６５が棚前後幅方向に沿う軸芯回りを回動自在に設けられ、小径の案内ローラ連結部６８には、小径の案内ローラ６６が棚横幅方向に沿う軸芯回りを回動自在に設けられている。そして、大径の案内ローラ６５をＣ形材６３の屈曲部６３ｂの一面にて案内させ、小径の案内ローラ６６をコ形材６４の屈曲部６４ｂの両面にて案内させることにより、棚横幅方向並びに棚前後幅方向の移動が規制された状態で棚上下幅方向に案内移動されるように構成されている。尚、小径の案内ローラ６６とコ字状材の平板部６４ａの間に一定の幅ｗａを持たせてあり、棚横幅方向内方側への移動が一定の幅ｗａだけ許容されるようになっている。
【００３６】
喰い込み作用体ＫＳおよび内方側作用体ＮＳについて説明すると、案内レール６１より棚横幅方向外方側に位置する喰い込み作用体ＫＳおよび案内レール６１より棚横幅方向内方側に位置する内方側作用体ＮＳが棚上下方向に枠部３７の上下幅とほぼ同じ間隔を設けて上下一対設けられている。喰い込み作用体ＫＳは、上側の喰い込み作用体７１および下側の喰い込み作用体７２からなり、上側の喰い込み作用体７１は、上部連結部７３を介して枠上面部５４と連結され、下側の喰い込み作用体７２は、案内レール６１より棚横幅方向外方側に位置する下部連結部７４を介して筒部３４と連結されている。また、内方側作用体ＮＳは、上側の内方側作用体７５および下側の内方側作用体７６からなり、上側の内方側作用体７５は、上部連結部７３を介して枠上面部５４と連結され、下側の内方側作用体７６は、案内レール６１より棚横幅方向内方側に位置する下部連結部７４を介して筒部３４と連結されている。
尚、本実施形態では、棚横幅方向の一端側部分に設けられた喰い込み作用体ＫＳおよび内方側作用体ＮＳについて説明し、他端側部分についてはその説明を省略する。
【００３７】
前記上部連結部７３について説明すると、中央部を切り欠き、且つ、その両端を折り曲げた矩形の板状の上側の上部連結部７７と、中央部を切り欠いた矩形の板を、横断面形状が溝部を備え、その一端が垂直方向に折れ曲がった形状に形成された下側の上部連結部７８とを備えて構成されている。上側の上部連結部７７および下側の上部連結部７８に切り欠きを設けることで、チェン２１が、枠上面部５４に設けられた孔および上部連結部７３に設けられた切り欠きを貫通した形態で索状体連結部５７に接続されている。
そして、上側の上部連結部７７と下側の上部連結部７８とが、下側の上部連結部７８の溝部が枠上面部５４と嵌合する状態でボルトナットにて締結されている。これにより、上部連結部７３が枠上面部５４に連結されるように構成されている。
【００３８】
前記下部連結部７４について説明すると、矩形の板状の両端を折り曲げた上側の下部連結部８０と、矩形の板を、横断面形状が溝部を備える形状に形成された下側の下部連結部８１とを備えて構成されている。下側の下部連結部８１には、矩形の板状に形成され、且つ、その厚みが下側の下部連結部８１よりも大きい板状片７９が接合されている。
そして、上側の下部連結部８０と下側の下部連結部８１とが、下側の下部連結部８１の溝部が筒部３４と嵌合する状態でボルトナットにて締結されている。これにより、下部連結部７４が筒部３４に連結されるとともに、上側の下部連結部８０の折り曲げた部分にて風導管３２を支持するように構成されている。
【００３９】
前記上側の喰い込み作用体７１について説明すると、略台形状の板を、矩形状の喰い込み部７１ａと、喰い込み部７１ａの端部からその喰い込み部７１ａに垂直な方向に延びる連結部７１ｂとを備えるように折り曲げ成形して、平面視において略Ｌ字状に形成されている。下側の上部連結部７８と上側の喰い込み作用体７１の連結部７１ｂとが、ボルトナットにて締結されている。喰い込み部７１ａが案内レール６１のコ形材６４に入り込むように、且つ、喰い込み部７１ａの端部とコ形材６４の平板部６４ａとが喰い込み作用体側の間隔ｗｂを隔てて設けられている。また、喰い込み部７１ａの面とコ形材６４の平板部６４ａの面とが垂直になるように設けられている。
【００４０】
前記下側の喰い込み作用体７２について説明すると、略Ｌ字状の板を、矩形状の喰い込み部７２ａと、喰い込み部７２ａの端部からその喰い込み部７２ａに垂直な方向に延びる矩形状の接続部７２ｃと、接続部７２ｃの端部から喰い込み部７２ａと平行に延びる矩形状の連結部７２ｂとを備えるように折り曲げ成形されている。下側の下部連結部８１に接合された板状片７９と下側の喰い込み作用体７２の連結部７２ｂとが、ボルトナットにて締結されている。前記上側の喰い込み作用体７１と同様に、喰い込み部７２ａが案内レール６１のコ形材６４に入り込むように、且つ、喰い込み部７２ａの端部とコ形材６４の平板部６４ａとが喰い込み作用体側の間隔ｗｂを隔てて設けられている。また、喰い込み部７２ａの面とコ形材６４の平板部６４ａの面とが垂直になるように設けられている。
【００４１】
したがって、上側の喰い込み作用体７１の喰い込み部７１ａの端部および下側の喰い込み作用体７２の喰い込み部７２ａの端部が、棚横幅方向内方側への喰い込み作用体側の間隔ｗｂの移動により案内レール６１のコ形材６４の平板部６４ａに対して喰い込み作用するように設けられている。
【００４２】
前記上側の内方側作用体７５について説明すると、略Ｌ字状の板を、矩形状の接当部７５ａと、接当部７５ａの端部からその接当部７５ａに垂直な方向に延びる横断面が略Ｌ字状の接続部７５ｃと、接続部７５ｃの断面から延びる矩形状の連結部７５ｂとを備えるように折り曲げ成形されている。上側の上部連結部７７と上側の内方側作用体７５の連結部７５ｂとが、ボルトナットにて締結されている。接当部７５ａの面とＣ形材６３の屈曲部６３ｂの面とが内方側作用体側の間隔ｗｃを隔てて平行になるように設けられている。
【００４３】
前記下側の内方側作用体７６について説明すると、略Ｌ字状の板を、矩形状の平板部７６ａと、平板部７６ａの端部からその平板部７６ａに垂直な方向に延びる矩形状の接続部７６ｃと、接続部７６ｃの端部から平板部７６ａと平行に延びる矩形状の連結部７６ｂとを備えるように折り曲げ成形され、平板部７６ａの端部には四角柱状の接当部７６ｄが接合され、平板部７６ａの端部と接当部７６ｄの面が同一平面をなすように構成されている。下側の下部連結部８１に接合された板状片７９と下側の内方側作用体７６の連結部７６ｂとが、ボルトナットにて締結されている。前記上側の内方側作用体７５と同様に、接当部７６ｄの面とＣ形材６３の屈曲部６３ｂの面とが内方側作用体側の間隔ｗｃを隔てて平行になるように設けられている。
尚、喰い込み作用体ＫＳと案内レール６１との喰い込み作用体側の間隔ｗｂが、内方側作用体ＮＳと案内レール６１との内方側作用体側の間隔ｗｃよりも大きく構成されている。
【００４４】
したがって、上側の内方側作用体７５の接当部７５ａの面および下側の内方側作用体７６の接当部７６ｄの面が、棚横幅方向外方側への内方側作用体側の間隔ｗｃの移動により案内レール６１のＣ形材６３の屈曲部６３ｂの面に接当するように設けられることで、送風体５の棚横幅方向外方側への移動を規制するように設けられている。
【００４５】
次に、一対のチェン２１の一つが切断したときに、喰い込み作用体ＫＳが案内レール６１に喰い込み作用する構成について説明する。
図１０、１２は、一対のチェン２１が切断される前の状態を示したものであり、棚上下幅方向に間隔を隔てて上下一対設けられた喰い込み作用体ＫＳ及び内方側作用体ＮＳの組が、喰い込み作用体ＫＳと案内レール６１との間に喰い込み作用体側の間隔ｗｂを隔てた形態で、且つ、案内レール６１と内方側作用体ＮＳとの間に内方側作用体側の間隔ｗｃを隔てた形態で設けられている。
【００４６】
そして、一対のチェン２１の一つが切断したときには、一端側を継続して吊下げられる送風体５は、その一端側を支点にして他端側を下方に移動させることにより、全体として他端側ほど下方に位置する傾斜姿勢になる。このとき、図１３（イ）に示すように、送風体５が傾斜姿勢になるに伴って、棚上下幅方向に間隔を隔てて位置する喰い込み作用体ＫＳと内方側作用体ＮＳとの組のうちの、上側の喰い込み作用体７１と上側の内方側作用体７５との間に案内レール６１を挟むようになり、そして、そのように案内レール６１を挟むようにしながら上側の喰い込み作用体７１が案内レール６１に喰い込み作用するものとなる、つまり、上側の喰い込み作用体７１と上側の内方側作用体７５との間に案内レール６１を挟むようにする形態で、上側の喰い込み作用体７１を案内レール６１に対して喰い込み作用させることで、送風体５の落下移動を的確に規制するようになっている。
【００４７】
あるいは、図１３（ロ）に示すように、送風体５が傾斜姿勢になるに伴って、棚上下幅方向に間隔を隔てて位置する喰い込み作用体ＫＳと内方側作用体ＮＳとの組のうちの、下側の喰い込み作用体７２と下側の内方側作用体７６との間で案内レール６１を挟むようになり、そして、そのように案内レール６１を挟むようにしながら下側の喰い込み作用体７２が案内レール６１に喰い込み作用するものとなる、つまり、下側の喰い込み作用体７２と下側の内方側作用体７６との間に案内レール６１を挟むようにする形態で、下側の喰い込み作用体７２を案内レール６１に対して喰い込み作用させることで、送風体５の落下移動を的確に規制するようになっている。
【００４８】
そして、喰い込み作用体ＫＳと内方側作用体ＮＳとの間で案内レール６１を挟むようにする形態で喰い込み作用体ＫＳが案内レール６１に喰い込み作用することを、棚上下幅方向に間隔を隔てて位置する喰い込み作用体ＫＳと内方側作用体ＮＳとの組のうちの、先に、案内レールに喰い込み作用し易い状態になった組にて迅速且つ的確に行わせることができるようになっている。
【００４９】
尚、小径の案内ローラ６６と案内レール６１との間に一定の幅ｗａを持たせてあり、送風体５の落下移動が規制されるまでの間、送風体５の棚横幅方向内方側への移動により、送風体５に設けられた小径の案内ローラ６６が案内レール６１に接当しないようになっている。
【００５０】
次に、バランスウェイト２２について説明する。
図１４（イ）に示すように、バランスウェイト２２は、長尺状の扁平部９１と、扁平部９１の両端に設けられた棒部９２とを備えて構成されている。扁平部９１は、長尺の四角柱状に形成され、その両端側の夫々に開口部９１ａが形成されている。棒部９２、扁平部９１の両端部、開口部９１ａの夫々には、バランスウェイト案内ローラ９３が設けられている。バランスウェイト２２が、案内レール６１のＣ形材６３の内部に設けられている。これにより、バランスウェイト２２は、案内レール６１にて棚上下幅方向に案内されるように構成されている。
【００５１】
前記バランスウェイト２２の下端部には、落下検出板９６が設けられており、落下検出板９６の端部９６ａは、棚上下幅方向から傾斜する方向に形成されている。リミットスイッチ９７（ウェイト検出手段ＷＫの一例）および衝撃吸収体９８が、案内レール６１に設けられている。そして、リミットスイッチ９７が、バランスウェイト２２の昇降範囲よりも下方位置に設けられ、チェン２１の切断に伴って落下移動するバランスウェイト２２を検出するように構成されている。また、衝撃吸収体９８が、バランスウェイト２２の昇降範囲よりも下方位置に設けられ、チェン２１の切断に伴って落下移動するバランスウェイト２２の衝撃を吸収するように構成されている。
【００５２】
制御手段Ｈ（図示せず）は、リミットスイッチ９７およびモータ１９と通信可能に構成され、図１４（ロ）に示すように、チェン２１の切断に伴ってバランスウェイト２２が落下移動して、バランスウェイト２２の端部に設けられた落下検出板９６の端部９６ａがリミットスイッチ９７に接当すると、モータ１９の作動を停止させるように構成されている。したがって、落下検出板９６の端部９６ａおよびリミットスイッチ９７が切断検出手段ＳＫを構成する。
【００５３】
〔別実施形態〕
（１）上記実施の形態では、通風式格納設備の天井から冷気が吹き出されることで、格納設備の内部空間が保冷される構成を例示したが、このような構成に限らず、例えば、格納設備の内部空間が暖房される構成や、格納設備の内部空間の湿度をコントロールしたりする構成としてもよい。
【００５４】
（２）上記実施の形態では、送風体５を棚横幅方向に２つ並べる構成を例示したが、このような構成に限らず、送風体５を棚横幅方向に複数個並べる構成あるいは送風体５を１つ並べる構成としてもよい。
【００５５】
（３）上記実施の形態では、切断検出手段ＳＫとして、落下検出板の端部９６ａおよびリミットスイッチ９７が設けられる構成を例示したが、このような構成に代えて、バランスウェイトとチェンとの間には、チェンと接続され、バランスウェイトに回動自在に設けられた回動部材と、回動部材に接当する接当部材と、一端がバランスウェイトに接続され、他端が回動部材に接続された弾性体と、バランスウェイトに接続され、回動部材の回動を検出するリミットスイッチとからなる切断検出手段が設けられ、チェンが吊下げ支持作用状態にあるときには、回動部材が接当部材に接当し、チェンが切断されると、弾性体の弾性力により回動部材が回動し、リミットスイッチにて検出される構成としてもよい。
【図面の簡単な説明】
【００５６】
【図１】通風式格納設備の全体平面図
【図２】通風式格納設備の側面図
【図３】送風体を昇降駆動する構成の側面図
【図４】送風体の側面図
【図５】枠部の断面図
【図６】枠部の斜視図
【図７】枠部の斜視図
【図８】枠部の側面図
【図９】上側の喰い込み作用体および上側の内方側作用体を示す図
【図１０】下側の喰い込み作用体および下側の内方側作用体を示す図
【図１１】案内レールの断面図
【図１２】一対のチェンが切断される前の状態を示した図
【図１３】一対のチェンの一つが切断された後の状態を示した図
【図１４】バランスウェイトの側面図
【符号の説明】
【００５７】
１      棚
５      送風体
２０    駆動回転体
２１    索状体
２２    バランスウェイト
６１    案内レール
６９    被案内回転体
ＢＳ    物品収納空間
Ｈ      制御手段
ＪＫ    索状体駆動手段
ＫＳ    喰い込み作用体
ＮＳ    内方側作用体
ＳＫ    切断検出手段
ＷＫ    ウェイト検出手段
【図１】
2006225144.tif 000003
【図２】
2006225144.tif 000004
【図３】
2006225144.tif 000005
【図４】
2006225144.tif 000006
【図５】
2006225144.tif 000007
【図６】
2006225144.tif 000008
【図７】
2006225144.tif 000009
【図８】
2006225144.tif 000010
【図９】
2006225144.tif 000011
【図１０】
2006225144.tif 000012
【図１１】
2006225144.tif 000013
【図１２】
2006225144.tif 000014
【図１３】
2006225144.tif 000015
【図１４】
2006225144.tif 000016